(57)【要約】【課題】  物品を配管類に影響されることなく効率よく収納できるとともに、システムキッチンの設置状況に影響されることなく配管類のメンテナンスや点検作業等を確実に行うことができるシステムキッチンを提供する。【解決手段】  天板４及び内部に配管用空間部が形成された脚部５ａ〜５ｃからなるフレーム部２と、天板４下方に配置される収納ユニット体２１〜２３からなるキャビネット部３と、から構成されるシステムキッチン１であって、脚部５ａ〜５ｃの内側面の少なくとも一部には開口部Ｋ１、Ｋ２が形成されており、収納ユニット体２１〜２３は、フレーム部２とは別体に形成され、本体２１ａ〜２３ａを構成する側板における開口部Ｋ１、Ｋ２に対応する箇所にはユニット体開口部Ｓ１〜Ｓ４が形成され、これら開口部Ｋ１、Ｋ２並びにユニット体開口部Ｓ１〜Ｓ４を介して収納ユニット体２１〜２３の内部と前記配管用空間部とが連通されている。【選択図】  図１
2006043188.tif 000002
【特許請求の範囲】
【請求項１】
少なくとも流し台を備える天板及び内部に配管類を配設可能な配管用空間部が形成された脚部からなるフレーム部と、物品を収納可能であるとともに、前記天板下方に配置される収納ユニット体からなるキャビネット部と、から構成されるシステムキッチンであって、
前記脚部の内側面の少なくとも一部には開口部が形成されており、
前記収納ユニット体は、前記フレーム部とは別体に形成され、前面が開口する本体と、該本体の前面開口を開閉自在な開閉板とからなるとともに、前記本体を構成する側板及び／または背板における前記開口部に対応する箇所にはユニット体開口部が形成され、これら前記開口部並びに前記ユニット体開口部を介して前記収納ユニット体の内部と前記配管用空間部とが連通されていることを特徴とするシステムキッチン。
【請求項２】
前記開口部は、前記天板の左右端部側に配設された脚部の内側面に形成されていることを特徴とする請求項１に記載のシステムキッチン。
【請求項３】
前記収納ユニット体は、該収納ユニット体の内部側から前記ユニット体開口部を開閉自在な蓋部材を備えることを特徴とする請求項１または２に記載のシステムキッチン。
【請求項４】
前記ユニット体開口部は、前記本体の側板上部に形成されていることを特徴とする請求項１ないし３のいずれかに記載のシステムキッチン。
【請求項５】
前記キャビネット部は、複数の収納ユニット体にて構成されており、
該複数の収納ユニット体は、各収納ユニット体の側板における同一箇所に前記ユニット体開口部を形成可能に構成されていることを特徴とする請求項１ないし４のいずれかに記載のシステムキッチン。
【発明の詳細な説明】
【技術分野】
【０００１】
本発明は、少なくとも流し台を備える天板及び内部に配管類を配設可能な配管用空間部が形成された脚部からなるフレーム部と、物品を収納可能であるとともに、前記天板下方に配置される収納ユニット体からなるキャビネット部と、から構成されるシステムキッチンに関する。
【背景技術】
【０００２】
従来、この種のシステムキッチンとしては、流し台やガスコンロ等が設けられているフレーム部と、物品が収納可能なキャビネット部とが分離独立して構成されていて、キャビネット部は、フレーム部の天板下方に形成された空間部に対して出し入れ自在の複数個の収納ユニット体からなり、物品の収納位置を自在に変更できるようになっているとともに、流し台の排水管や給水管、ガスコンロのガス供給管等の配管類は全てフレーム部の脚部内に隠蔽収容されており、これら配管類のメンテナンスや点検作業等は、前記脚部の側面の所定箇所に形成された開口部を介して行うことができるもの等がある（例えば、特許文献１参照）。
【０００３】
【特許文献１】特開２００３−１０２５６８号公報（第２頁、第１図）
【発明の開示】
【発明が解決しようとする課題】
【０００４】
しかしながら、前記特許文献１のシステムキッチンにおいて、配管類のメンテナンスや点検等を行うための開口部が脚部の外側面に形成される場合は、フレーム部を厨房や台所に設置する際において、その側方に壁面あるいは冷蔵庫や食器棚などが配設されると開口部が閉塞されてしまうため、メンテナンスや点検作業等を行うことができなくなるといった問題があった。
【０００５】
また、前記開口部が脚部の内側面に形成される場合は、天板下方に形成された空間部に配置される収納ユニット体により開口部が閉塞されてしまうため、メンテナンスや点検作業のたびに収納ユニット体を空間部から引き出さなければならないが、キャビネット部のレイアウト変更等に比べてメンテナンスや点検作業を行う頻度は高いため、雑多の調理器具などの物品が収納された重量のある収納ユニット体を出し入れするには大変な手間がかかるといった問題があった。
【０００６】
本発明は、このような問題点に着目してなされたもので、物品を配管類に影響されることなく効率よく収納できるとともに、システムキッチンの設置状況に影響されることなく配管類のメンテナンスや点検作業等を確実に行うことができるシステムキッチンを提供することを目的とする。
【課題を解決するための手段】
【０００７】
上記課題を解決するために、本発明の請求項１に記載のシステムキッチンは、少なくとも流し台を備える天板及び内部に配管類を配設可能な配管用空間部が形成された脚部からなるフレーム部と、物品を収納可能であるとともに、前記天板下方に配置される収納ユニット体からなるキャビネット部と、から構成されるシステムキッチンであって、
前記脚部の内側面の少なくとも一部には開口部が形成されており、
前記収納ユニット体は、前記フレーム部とは別体に形成され、前面が開口する本体と、該本体の前面開口を開閉自在な開閉板とからなるとともに、前記本体を構成する側板及び／または背板における前記開口部に対応する箇所にはユニット体開口部が形成され、これら前記開口部並びに前記ユニット体開口部を介して前記収納ユニット体の内部と前記配管用空間部とが連通されていることを特徴としている。
この特徴によれば、フレーム部とキャビネット部とが別体で形成されることで、配管類等に影響されることなく、収納ユニット体の内部に物品を効率よく収納することができるとともに、収納ユニット体の開閉板を開放することで、その側板及び／または背板に形成されたユニット体開口部及び脚部に形成された開口部を介して脚部の配管用空間部に配設された配管類のメンテナンスや点検作業等をシステムキッチンの前方側から容易に行うことができ、また、開閉板が閉塞されているときは前記ユニット体開口部及び前記開口部を介して前記配管用空間部に配設された配管類が外部に露呈することがないので、外観体裁が損なわれることがない。
また、前記開閉板は、例えば収納ユニット体の全面開口の側辺に回動自在に枢支される開閉扉や、収納ユニット体の本体に対して前後方向に移動自在に設けられる引き出しの前板、あるいはスライド扉等を含む。
【０００８】
本発明の請求項２に記載のシステムキッチンは、請求項１に記載のシステムキッチンであって、前記開口部は、前記天板の左右端部側に配設された脚部の内側面に形成されていることを特徴としている。
この特徴によれば、開口部がシステムキッチンの前側に近い箇所に形成されるため、配管類のメンテナンスや点検等の作業性が効果的に向上する。
【０００９】
本発明の請求項３に記載のシステムキッチンは、請求項１または２に記載のシステムキッチンであって、前記収納ユニット体は、該収納ユニット体の内部側から前記ユニット体開口部を開閉自在な蓋部材を備えることを特徴としている。
この特徴によれば、物品が収納される収納ユニット体の内部へのごみや虫などの進入を防ぐことができる。
【００１０】
本発明の請求項４に記載のシステムキッチンは、請求項１ないし３のいずれかに記載のシステムキッチンであって、前記ユニット体開口部は、前記本体の側板上部に形成されていることを特徴としている。
この特徴によれば、収納ユニット体の内部に収納した物品によりユニット体開口部が塞がれることがないので、本体内に収納された物品を外部に出さなくてもメンテナンスや点検等の作業を行うことができる。
【００１１】
本発明の請求項５に記載のシステムキッチンは、請求項１ないし４のいずれかに記載のシステムキッチンであって、前記キャビネット部は、複数の収納ユニット体にて構成されており、
該複数の収納ユニット体は、各収納ユニット体の側板における同一箇所に前記ユニット体開口部を形成可能に構成されていることを特徴としている。
この特徴によれば、収納ユニット体の配置位置に応じてユニット体開口部を容易に形成できるとともに、ユニット体開口部が不要な収納ユニット体には不要な開口が形成されることがないので、ゴミ等の進入が防止される。また、収納ユニット体の部品の共通化が可能となるため、製造コストを極力抑えることができる。
【発明を実施するための最良の形態】
【００１２】
本発明の実施例を以下に説明する。
【実施例１】
【００１３】
本発明の実施例１としてのシステムキッチン１を図面に基づいて説明すると、先ず図1は、フレーム部に収納ユニット体を収納する前の状態を示す本発明の実施例１としてのシステムキッチンの全体像を示す斜視図である。図２は、収納ユニット体をフレーム部に収納した後の状態を示すシステムキッチンの全体像を示す斜視図である。図３は、ユニット体開口部に蓋部材を取り付ける状態を示した、収納ユニット体開口部から脚部内部に配設した配管類を見た図２の要部拡大斜視図である。図４は、開口部を有する脚部の内側面を示す要部縦断面図である。図５は、フレーム部に、収納ユニット体を収納した後の状態を示す本発明の実施例２としてのシステムキッチンの全体像を示す斜視図である。
【００１４】
図１により本発明の第１実施例におけるシステムキッチン１の概要について説明すると、システムキッチン１は、上面の正面視右側に流し台６、中央部に調理部７、左側にコンロ部８を備える天板４と、天板４の左右端部側に配設され、内部に配管用空間部Ｐ（図３参照）が形成された中空状の脚部５ａ、５ｂ並びに天板４の後端部側に配設された脚部５ｃとからなるフレーム部２と、天板４下方に形成された空間部内に組み込み可能であり、前面から物品を出し入れ自在である３個の収納ユニット体２１、２２、２３からなるキャビネット部３とからなる。
【００１５】
本実施例におけるシステムキッチン１では、流し台６の蛇口９に接続される温水管１２、冷水管１３、および流し台６の排水口１０に接続される排水管１４からなる水道管１１と、ガスコンロ８ａに接続されるガス管１５等の配管類が、左右端部側の脚部５ａ、５ｂ内部の配設用空間部Ｐに配設されている。
【００１６】
流し台６の蛇口９、排水口１０に接続される温水管１２、冷水管１３、排水管１４からなる水道管１１は、右端側脚部５ａの内部の配管用空間部Ｐに配設され、床面を貫通して床下から外部の図示しない温水管、冷水管、排水管にそれぞれ連通接続されている。右端側脚部５ａの内部において、温水管１２および冷水管１３には、それぞれ管内の水流を開閉自在な温水管バルブ１２ａ、冷水管バルブ１３ａが設けられており、また排水管１４には、下端に清掃口１４ａを設けた排水トラップが設けられている。
【００１７】
またコンロ部８に接続されるガス管１５は、左端側脚部５ｂの内部の配管用空間部Ｐに配設され、床面を貫通して床下から外部の図示しないガス本管に連通接続されている。左端側脚部５ｂの内部において、ガス管１５には、管内のガスの流れを開閉自在なガス管バルブ１５ａが設けられている。
【００１８】
図２及び図３に示すように、右端側脚部５ａの内側面には、開口部Ｋ１が設けられており、右端側脚部５ａの内部の配管用空間部Ｐに配設された水道管１１のそれぞれのバルブ１２ａ、１３ａや清掃口１４ａが露呈するようになっている。同様に左端側脚部５ｂの内側面には、開口部Ｋ２が設けられており、左端側脚部５ｂの内部の配管用空間部Ｐに配設されたガス管１５のガス管バルブ１５ａが露呈するようになっている。
【００１９】
一方、図１に示されるように、キャビネット部３は、金属板を折り曲げ加工することにより前面が開口する箱状に形成される本体２１ａ、２２ａ、２３ａと、該本体の前面開口を開閉自在な開閉板２４ａ〜２７ａ、２８とからなる、左右に隣接した３個の収納ユニット体２１、２２、２３から構成されている。フレーム部２とキャビネット部３は分離独立して構成されているため、これら３個の収納ユニット体２１、２２、２３は、例えばシステムキッチンの使用者の要望に応じて工場もしくは現場において天板４の下方に適宜配置位置を選択して組み付けることができる。天板４の下方の空間部にほぼ隙間なく収納されるように、これら３個の収納ユニット体２１、２２、２３を左右に隣接して組み合わせたものの縦、横、高さが、それぞれ設定されている。
【００２０】
図１および図２に示すように、正面視右側および中央の収納ユニット体２１、２２には、それぞれ上下２段の引出し体２４〜２７が、これらの収納ユニット体２１、２２の前面開口から前後方向に移動自在に嵌挿収納されており、これら引出し体２４〜２７の前板２４ａ〜２７ａが、本体の前面開口を開閉自在とする前記開閉板を構成している。また正面視左側の収納ユニット体２３は、前面開口の側辺に回動自在に枢支される開閉板としての開閉扉２８が設けられ、把手２９により前面が開閉自在となっている。
【００２１】
図３に示すように、収納ユニット体２１を天板下方に組み付けたときにおいて、脚部５ａの内側面と隣接する本体２１ａの右側板には、右端側脚部５ａの内側面における開口部Ｋ１と対応する箇所に、切り欠きおよび開口からなるユニット体開口部Ｓ１、Ｓ２を有している。したがって、収納ユニット体２１が天板４の下方に組み込まれた状態において、収納ユニット体２１の内部と配管用空間部Ｐとが開口部Ｋ１とユニット体開口部Ｓ１、Ｓ２を介して連通されるため、引出し体２４を引き出して収納ユニット体の前面を開放することにより、ユニット体開口部Ｓ１、Ｓ２越しに、配管用空間部Ｐに配設された水道管１１が露呈され、システムキッチン１の前面側からメンテナンスや点検作業等を行うことができる。なお、これらユニット体開口部Ｓ１、Ｓ２の下端縁からは折曲げ片が内向きに屈曲形成され、側板に撓みが生じることが防止されている。なお、本実施例では前記折曲げ片は内向きに屈曲形成されていたが、前記折曲げ片を外向きに屈曲形成して側板に撓みが生じることを防止するようにしてもよい。
【００２２】
同様に、収納ユニット体２３を天板下方に組み付けたときにおいて、脚部５ｂの内側面と隣接する本体２３ａの左側板には、左端側脚部５ｂの内側面における開口部Ｋ２と対応する箇所に、切り欠きおよび開口からなるユニット体開口部Ｓ３、Ｓ４を有している。したがって、収納ユニット体２３が天板４の下方に組み込まれた状態において、収納ユニット体２３の内部と配管用空間部Ｐとが開口部Ｋ２とユニット体開口部Ｓ３、Ｓ４を介して連通されているため、開閉扉２８を開放して収納ユニット体２３の前面を開放することにより、ユニット体開口部Ｓ３、Ｓ４越しに、配管用空間部Ｐに配設されたガス管１５が露呈され、システムキッチン１の前面側からメンテナンスや点検作業等を行うことができる。
【００２３】
ここで、各収納ユニット体２１、２２の上段の引出し体２４、２６が収納されているとき及び開閉扉２８が閉塞されているときは、引出し体２４、２６の前板２４ａ、２６ａや開閉扉２８により本体２１ａ〜２３ａ内が外部から視認不能に隠蔽されるため、配管用空間部Ｐに配設された配管類が露呈されることがないため、外観体裁が損なわれることがなく、見栄えがよい。
【００２４】
また、図３に示すように、開口部Ｋ１が、システムキッチン１の前側に近い右側の脚部５ａの内側面に形成されることで、配管類のメンテナンスや点検等の作業性が効果的に向上する。また、開口部Ｋ１を脚部５ａの内側面に形成することで、脚部５ａの前後方向に向けて併設される複数の配管類全てを外部に露呈させることができる。
【００２５】
また、図３に示すように、ユニット体開口部Ｓ２を閉塞可能な蓋部材３１を、収納ユニット体２１の内側から着脱自在なラッチ３２により開閉自在に設けている。したがってこの蓋部材３１により開口箇所を必要最小限とし、収納ユニット体２１外部からのごみ、虫等の進入を極力防ぐことができる。
【００２６】
さらに、図４に示すように、ユニット体開口部Ｓ１、Ｓ２は、収納ユニット体２１側面の上部に設けられている。したがって収納ユニット体２１の内部に収納した物品により、ユニット体開口部Ｓ１、Ｓ２が閉塞されることを防止できるため、本体２１ａ内に収納された物品を外部に出さなくてもメンテナンスや点検作業等を行うことができる。
【実施例２】
【００２７】
次に、実施例２に係るシステムキッチンにつき、図５を参照して説明する。なお、上記実施例１と同一構成で重複する構成を省略する。
【００２８】
実施例２におけるシステムキッチン１’においては、天板４の左右端側および背面側に脚部５ａ’、５ｂ’、５ｃ’を設けており、前述と同様の配管類は、背面側の脚部５ｃ’の内部に形成された配管用空間部内に配設され、床面を貫通して床下から外部の図示しないそれぞれの管に連通接続されている。
【００２９】
背面側脚部５ｃ’の内側面には、第１実施例と同様の開口部Ｋ１’、Ｋ２’が設けられており、背面側脚部５ｃ’の内部に配設された配管類それぞれのバルブ１２ａ’、１３ａ’、１５ａ’や、清掃口１４ａ’が露呈するようになっている。
【００３０】
また、収納ユニット体２１’、２２’、２３’の本体２１ａ’〜２３ａ’の背板には、背面側脚部５ｃ’の内側面（前面側の側板）に形成された開口部Ｋ１’、Ｋ２’と対応する箇所に、ユニット体開口部Ｓ１’、Ｓ２’、Ｓ４’が形成されている。したがって、収納ユニット体２１、２３の前面を開放することにより、背面側脚部５ｃ’の内部に形成された配管用空間部内に配設された配管類が露呈され、システムキッチン１の前面側からメンテナンスや点検作業等を行うことができる。
【００３１】
また、図５に示すように、３個の収納ユニット体２１’〜２３’の全ての本体２１ａ’〜２３ａ’の背板における同一箇所にユニット体開口部Ｓ１’〜Ｓ６’が形成されている。
【００３２】
したがって、例えば図５に示すような３個の収納ユニット体２１’、２２’、２３’の配置位置を選択した場合に、右側の収納ユニット体２１’における背板のユニット体開口部Ｓ１’、Ｓ２’と、左側の収納ユニット体２３’における背板のユニット体開口部Ｓ４’において、背面側脚部５ｃ’の開口部Ｋ１’、Ｋ２’とを介して、収納ユニット体２１’、２３’の本体内部と脚部５ｃ’の内部の配管用空間部とが連通するため、配管類が露呈され、前述のメンテナンスや点検作業等が可能となる。背面側脚部５ｃ’の開口部Ｋ１’、Ｋ２’と連通しない箇所のユニット体開口部Ｓ３’、Ｓ５’、Ｓ６’については、背面側脚部５ｃ’の内側面により閉塞されるため、ごみや虫などの進入が防止される。なお、前記実施例１と同様に構成される蓋部材にてユニット体開口部Ｓ３’、Ｓ５’、Ｓ６’を閉塞しておくことがより好ましい。
【００３３】
このように全ての収納ユニット体２１’、２２’、２３’の本体の背板に予めユニット体開口部を形成しておくことで、収納ユニット体２１’、２２’、２３’の部品の共通化が可能となるため、製造コストを極力抑えることができる。
【００３４】
このような本発明においては、本実施例２におけるシステムキッチン１’のように、天板４の背面側端部に配設される脚部５ｃ’内に配管類が配設される配管用空間部が形成されていても、該脚部５ｃ’の内側面に開口部Ｋ１’、Ｋ２’を形成するとともに、該開口部Ｋ１’に対応する箇所にユニット体開口部Ｓ１’、Ｓ２’、Ｓ４’を形成した収納ユニット体２１’を配設することで、これら開口部Ｋ１’、Ｋ２’並びにユニット体開口部Ｓ１’、Ｓ２’、Ｓ４’を介して脚部５ｃ’内に配設された配管類のメンテナンスや点検作業等を行うことができるようになっていてもよい。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば上記実施例１では、蓋部材はユニット体開口部の全面を閉塞していたが、必ずしもユニット体開口部の全面を閉塞する必要はなく、配管類のメンテナンスや点検作業等で必要な一部分のみを閉塞可能な蓋部材でもよい。
【００３７】
また上記実施例２では、複数の収納ユニット体２１’〜２３’の本体の背板における同一箇所にユニット体開口部Ｓ１’〜Ｓ６’が予め形成されていたが、必ずしも収納ユニット体の製造時にユニット体開口部を形成する必要はなく、例えば収納ユニット体の製造時においては、収納ユニット体の本体の背板に、形成しうるユニット体開口部の開口辺に沿って切込みスリット等を形成しておき、設置現場における収納ユニット体の組込み時において切込みスリットに沿って側板の一部を切り出すことによりユニット体開口部を形成するようにしてもよい。なお、言うまでもないが前記実施例１における複数の収納ユニット体における本体の側板の同一箇所にユニット体開口部を形成する場合においても前述と同様の作用・効果が得られる。
【００３８】
このように製造時においてユニット体開口部を形成可能な切込みスリット等を形成しておけば、複数の収納ユニット体の配置位置に応じてユニット体開口部を容易に形成できるとともに、ユニット体開口部が不要な収納ユニット体には不要な開口が形成されることがないので、ゴミ等の進入が防止される。また、収納ユニット体の部品の共通化が可能となるため、製造コストを極力抑えることができる。
【００３９】
また、本発明においては、脚部の内側面に形成される開口部や、収納ユニット体の本体側板や背板に形成されるユニット体開口部は、側板や背板に貫通口を形成したものに限定されるものではなく、側板や背板の縁部に形成された切り欠きにて形成されていてもよい。
【図面の簡単な説明】
【００４０】
【図１】フレーム部に収納ユニット体を収納する前の状態を示す本発明の実施例１としてのシステムキッチンの全体像を示す斜視図である。
【図２】収納ユニット体をフレーム部に収納した後の状態を示すシステムキッチンの全体像を示す斜視図である。
【図３】ユニット体開口部に蓋部材を取り付ける状態を示した、収納ユニット体開口部から脚部内部に配設した配管類を見た図２の要部拡大斜視図である。
【図４】開口部を有する脚部の内側面を示す要部縦断面図である。
【図５】フレーム部に、収納ユニット体を収納した後の状態を示す本発明の実施例２としてのシステムキッチンの全体像を示す斜視図である。
【符号の説明】
【００４１】
１、１’          システムキッチン
２、２’          フレーム部
３、３’          キャビネット部
４                天板
５ａ、５ａ’      右端側脚部
５ｂ、５ｂ’      左端側脚部
５ｃ、５ｃ’      背面側脚部
６                流し台
７                調理部
８                コンロ部
１１、１１’      水道管
１２ａ、１３ａ    温水管バルブ、冷水管バルブ
１４ａ            清掃口
１５              ガス管
１５ａ            ガス管バルブ
２１〜２３        収納ユニット体
２１ａ〜２３ａ    本体
２４〜２７        引出し体
２４ａ〜２７ａ    前板（開閉板）
２８              開閉扉（開閉板）
３１              蓋部材
Ｋ１、Ｋ２        開口部
Ｓ１〜Ｓ４        ユニット体開口部
Ｐ                配管用空間部
【図１】
2006043188.tif 000003
【図２】
2006043188.tif 000004
【図３】
2006043188.tif 000005
【図４】
2006043188.tif 000006
【図５】
2006043188.tif 000007
【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
少なくとも流し台を備える天板及び内部に配管類を配設可能な配管用空間部が形成された天板の左右端部側に配設された脚部からなるフレーム部と、物品を収納可能であるとともに、前記天板下方に配置される収納ユニット体からなるキャビネット部と、から構成されるシステムキッチンであって、
前記脚部の内側面の少なくとも一部には閉じられない開口部が形成されており、
前記収納ユニット体は、前記フレーム部とは別体に形成され、前面が開口する本体と、該本体の前面開口を開閉自在な開閉板とからなるとともに、前記本体を構成する側板における前記開口部に対応する箇所には脚部の内側面に設けた開口部よりも小さなユニット体開口部が形成され、これら前記開口部並びに前記ユニット体開口部を介して前記収納ユニット体の内部と前記配管用空間部とが連通されていることを特徴とするシステムキッチン。
【請求項２】
前記ユニット体開口部は、切込みスリットにより形成され、必要に応じて開口部を形成可能としたことを特徴とする請求項１に記載のシステムキッチン。
【請求項３】
前記収納ユニット体は、該収納ユニット体の内部側から前記ユニット体開口部を開閉自在な蓋部材を備えることを特徴とする請求項１または２に記載のシステムキッチン。
【請求項４】
前記収納ユニット体には引出し体が設けられ、前記ユニット体開口部は、前記本体の側板であって、引出し体より上部に形成されていることを特徴とする請求項１ないし３のいずれかに記載のシステムキッチン。
【請求項５】
前記キャビネット部は、複数の収納ユニット体にて構成されており、
該複数の収納ユニット体は、各収納ユニット体の側板における同一箇所に前記ユニット体開口部を形成可能に構成されていることを特徴とする請求項１ないし４のいずれかに記載のシステムキッチン。
【手続補正２】
【補正対象書類名】明細書
【補正対象項目名】０００７
【補正方法】変更
【補正の内容】
【０００７】
上記課題を解決するために、本発明の請求項１に記載のシステムキッチンは、少なくとも流し台を備える天板及び内部に配管類を配設可能な配管用空間部が形成された天板の左右端部側に配設された脚部からなるフレーム部と、物品を収納可能であるとともに、前記天板下方に配置される収納ユニット体からなるキャビネット部と、から構成されるシステムキッチンであって、
前記脚部の内側面の少なくとも一部には閉じられない開口部が形成されており、
前記収納ユニット体は、前記フレーム部とは別体に形成され、前面が開口する本体と、該本体の前面開口を開閉自在な開閉板とからなるとともに、前記本体を構成する側板における前記開口部に対応する箇所には脚部の内側面に設けた開口部よりも小さなユニット体開口部が形成され、これら前記開口部並びに前記ユニット体開口部を介して前記収納ユニット体の内部と前記配管用空間部とが連通されていることを特徴としている。
この特徴によれば、フレーム部とキャビネット部とが別体で形成されることで、配管類等に影響されることなく、収納ユニット体の内部に物品を効率よく収納することができるとともに、収納ユニット体の開閉板を開放することで、収納ユニット体の側板に形成された脚部の開口部よりも小さなユニット体開口部及び脚部に形成された開口部を介して脚部の配管用空間部に配設された配管類のメンテナンスや点検作業等をシステムキッチンの前方側から容易に行うことができ、また、開閉板が閉塞されているときは前記ユニット体開口部及び前記開口部を介して前記配管用空間部に配設された配管類が外部に露呈することがないので、外観体裁が損なわれることがない。
また、前記開閉板は、例えば収納ユニット体の全面開口の側辺に回動自在に枢支される開閉扉や、収納ユニット体の本体に対して前後方向に移動自在に設けられる引き出しの前板、あるいはスライド扉等を含む。
【手続補正３】
【補正対象書類名】明細書
【補正対象項目名】０００８
【補正方法】変更
【補正の内容】
【０００８】
本発明の請求項２に記載のシステムキッチンは、請求項１に記載のシステムキッチンであって、前記ユニット体開口部は、切込みスリットにより形成され、必要に応じて開口部を形成可能としたことを特徴としている。
この特徴によれば、製造時においてユニット体開口部を形成可能な切込みスリット等を形成しておけば、複数の収納ユニット体の配置位置に応じてユニット体開口部を容易に形成できるとともに、ユニット体開口部が不要な収納ユニット体には不要な開口が形成されることがないので、ゴミ等の進入が防止される。また、収納ユニット体の部品の共通化が可能となるため、製造コストを極力抑えることができる。
【手続補正４】
【補正対象書類名】明細書
【補正対象項目名】００１０
【補正方法】変更
【補正の内容】
【００１０】
本発明の請求項４に記載のシステムキッチンは、請求項１ないし３のいずれかに記載のシステムキッチンであって、前記収納ユニット体には引出し体が設けられ、前記ユニット体開口部は、前記本体の側板であって、引出し体より上部に形成されていることを特徴としている。
この特徴によれば、収納ユニット体に設けた引出し体の内部に収納した物品によりユニット体開口部が塞がれることがないので、引出し体内に収納された物品を外部に出さなくてもメンテナンスや点検等の作業を行うことができる。
【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
少なくとも流し台を備える天板及び内部に配管類を配設可能な配管用空間部が形成された天板の左右端部側に配設された脚部からなるフレーム部と、物品を収納可能であるとともに、前記天板下方に配置される収納ユニット体からなるキャビネット部と、から構成されるシステムキッチンであって、
前記脚部の内側面の少なくとも一部には開口部が形成されており、
前記収納ユニット体は、前記フレーム部とは別体に形成され、前面が開口する本体と、該本体の前面開口を開閉自在な開閉板とからなるとともに、前記本体を構成する側板における前記開口部に対応する箇所には脚部の内側面に設けた開口部よりも小さなユニット体開口部が形成され、これら前記開口部並びに前記ユニット体開口部を介して前記収納ユニット体の内部と前記配管用空間部とが連通されていることを特徴とするシステムキッチン。
【請求項２】
前記ユニット体開口部は、切込みスリットにより形成され、必要に応じて開口部を形成可能としたことを特徴とする請求項１に記載のシステムキッチン。
【請求項３】
前記収納ユニット体は、該収納ユニット体の内部側から前記ユニット体開口部を開閉自在な蓋部材を備えることを特徴とする請求項１に記載のシステムキッチン。
【請求項４】
前記収納ユニット体には引出し体が設けられ、前記ユニット体開口部は、前記本体の側板であって、引出し体より上部に形成されていることを特徴とする請求項１ないし３のいずれかに記載のシステムキッチン。
【請求項５】
前記キャビネット部は、複数の収納ユニット体にて構成されており、
該複数の収納ユニット体は、各収納ユニット体の側板における同一箇所に前記ユニット体開口部を形成可能に構成されていることを特徴とする請求項１ないし４のいずれかに記載のシステムキッチン。
【手続補正２】
【補正対象書類名】明細書
【補正対象項目名】０００７
【補正方法】変更
【補正の内容】
【０００７】
上記課題を解決するために、本発明の請求項１に記載のシステムキッチンは、少なくとも流し台を備える天板及び内部に配管類を配設可能な配管用空間部が形成された天板の左右端部側に配設された脚部からなるフレーム部と、物品を収納可能であるとともに、前記天板下方に配置される収納ユニット体からなるキャビネット部と、から構成されるシステムキッチンであって、
前記脚部の内側面の少なくとも一部には開口部が形成されており、前記収納ユニット体は、前記フレーム部とは別体に形成され、前面が開口する本体と、該本体の前面開口を開閉自在な開閉板とからなるとともに、前記本体を構成する側板における前記開口部に対応する箇所には脚部の内側面に設けた開口部よりも小さなユニット体開口部が形成され、これら前記開口部並びに前記ユニット体開口部を介して前記収納ユニット体の内部と前記配管用空間部とが連通されていることを特徴としている。
この特徴によれば、フレーム部とキャビネット部とが別体で形成されることで、配管類等に影響されることなく、収納ユニット体の内部に物品を効率よく収納することができるとともに、収納ユニット体の開閉板を開放することで、収納ユニット体の側板に形成された脚部の開口部よりも小さなユニット体開口部及び脚部に形成された開口部を介して脚部の配管用空間部に配設された配管類のメンテナンスや点検作業等をシステムキッチンの前方側から容易に行うことができ、また、開閉板が閉塞されているときは前記ユニット体開口部及び前記開口部を介して前記配管用空間部に配設された配管類が外部に露呈することがないので、外観体裁が損なわれることがない。
また、前記開閉板は、例えば収納ユニット体の全面開口の側辺に回動自在に枢支される開閉扉や、収納ユニット体の本体に対して前後方向に移動自在に設けられる引き出しの前板、あるいはスライド扉等を含む。
【手続補正３】
【補正対象書類名】明細書
【補正対象項目名】０００９
【補正方法】変更
【補正の内容】
【０００９】
本発明の請求項３に記載のシステムキッチンは、請求項１に記載のシステムキッチンであって、前記収納ユニット体は、該収納ユニット体の内部側から前記ユニット体開口部を開閉自在な蓋部材を備えることを特徴としている。
この特徴によれば、物品が収納される収納ユニット体の内部へのごみや虫などの進入を防ぐことができる。